(57)【要約】      （修正有）【課題】テラヘルツ波とマイナスイオンを半永久的に放射体とする携帯電話に貼り付けるシールを提供する。【解決手段】テラヘルツ波３とマイナスイオン４を放射する液体を乾燥して塗膜とし、シール用紙に貼り付け、携帯電話、家電、各種情報端末に電磁波吸収、有害電磁波中和を目的とした。【選択図】図４
0003222174.tif 000002
【実用新案登録請求の範囲】
【請求項１】
テラヘルツ波とマイナスイオンを放射する液体を塗布した塗膜による携帯電話、家電、各種情報端末に電磁波吸収、有害電磁波中和を目的としたシール。
【請求項２】
テラヘルツ波とマイナスイオンを放射する液体を塗布した塗膜による携帯電話、各種情報端末、リチウムバッテリの放電時間延長、寿命延長を目的としたシール。
【請求項３】
テラヘルツ波とマイナスイオンを放射する液体を塗布した塗膜により、［請求項３０］に示す評価例に示す効果を出すもの。
【考案の詳細な説明】
【技術分野】
【０００１】本考案は、テラヘルツ波とマイナスイオンを半永久的に放射する微粒子を配合し、その塗膜（以下、本特殊塗膜）をシールに貼り付けることを特徴とする。テラヘルツ放射を共鳴電磁波の転写放射体ではなく、テラヘルツ及びマイナスイオンを半永久的（２００年以上）に放射し続ける粒子を使うことで、他の強い電磁波に照射されても、他の転写放射体にならず、その効果を半永久的維持することができる。有害電磁波を人体に与える悪影響を減少させ、バッテリの性能改善、寿命延長を目的とした携帯電話に張り付けるシールに関するものである。携帯電話電磁波に対策効果として、電磁波吸収効果、携帯電磁波周辺に発するノイズ中和効果、携帯電磁波による人体の免疫力低下をテラヘルツ波とマイナスイオンのダブルの免疫力向上効果で免疫力を回復、向上させる効果がある。バッテリ寿命延長、回復効果は、携帯電話の放充電を繰り返すことにより、酸化還元効果をもたらすことで実現する。塗膜からテラヘルツ波が酸化還元効果をもたらすが、マイナスイオンを同時に発することでその効果をより高めている。テラヘルツ波、マイナスイオンの放射性能を上げ、小型するために、放射粒子の微粒化（３μ）、塗膜の通気性を実現させた。塗膜は防水性能があり、空気は通すように配合した特殊液体をつくり実現させている。
【背景技術】
【０００２】近年、携帯電話電磁波を遮蔽する、他の方式のシールが開発、製品化されている。
【考案が解決ししようとする課題】
【０００３】近年、携帯電話の普及とともに、携帯電話から発生される電磁波により健康被害が問題となっている。携帯電話の電磁波を遮断するだけではなく、健康被害を減少させる。
【０００４】スマートフォンの普及とともに、バッテリ使用時間が短い、バッテリ使用頻度があがり、バッテリ寿命が短くなるという問題が発生している。テラヘルツ波の酸化還元効果にマイナスイオンを同時に放射することで、より高い効果を実現させる。
【課題を解決するための手段】
【０００５】このような課題を解決するために、本考案者は、テラヘルツ波とマイナスイオンを半永久的に放射する微細粒子（３μ）と耐水性、高粘着度、高耐久性、高伸性能のある特殊液体を配合したもの（以下、本特殊液体）を塗膜化し、シールに貼り付けることを見出し、本考案をなすに至った。
【０００６】このような課題を解決するために本発明では、耐水性、耐久性の高い特殊合成紙のシール（以下、本特殊合成紙シール）へ、本特殊液体塗膜（以下、本特殊塗膜）貼り付け、その塗膜からテラヘルツ波とマイナスイオンを半永久的に放射させる。このシールを以下本シールと呼ぶ。
【０００７】すなわち、携帯電話に張り付ける本シールをテラヘルツ波とマイナスイオンを半永久的に放射体とする。
【０００８】本シールは、携帯電話から放射される電磁波を吸収させている（００１５  遠赤外線応用研究会にてテスト実施）。電磁波被爆量を減少させることができる。この効果は、本シール貼る機関が長いほど、高まる。
【０００９】本シールそのものをテラヘルツ波とマイナスイオンの放射体にすることで、携帯電話の電子の動きを円滑にすることができ、携帯電話の動作を円滑にすることができる。携帯電話の故障、消費電気量を減らすことができる。加え、携帯電話の電子を円滑にすることにより、携帯電話が放射する電磁波量を減らすことができる。この効果は、数か月に及び徐々に効果があがり、電磁波量も本シールをはる期間が長いほど、電磁波量を減らすことができる。
【００１０】バッテリの寿命延長、回復効果は、携帯電話の放充電を繰り返すことで、テラヘルツ波が持つ酸化還元効果により回復する。本シールでは、マイナスイオンを同時に発することで、酸化還元効果をより高めている。
【００１１】本シールそのものをテラヘルツ波とマイナスイオンの放射体にすることで、携帯電話から発生する体に悪影響を与えるノイズを中和、軽減することができる。携帯電話の電磁波から発生する体への悪影響を減らすことができる。
【００１２】本シールは携帯電話から放射する電磁波を吸収することができる。
【００１３】本シールは携帯電話から放射する電磁波周辺で発生する電磁波ノイズを中和し除去することができる。
【００１４】携帯電話から放射する電磁波周辺で発生する電磁波ノイズが体に自覚症状（頭痛、動悸、めまいなど）を引き起こすスイッチになる。電磁波ノイズを中和することで、この本シールを貼った携帯を持った人は、自覚症状がなくなる。
【００１５】本シールそのものをテラヘルツ波とマイナスイオンの放射体にすることで、携帯使用時に携帯に体が触れることにより、テラヘルツ波とマイナスイオン免疫力向上させる。この効果により、携帯電話から発する人体に悪影響を与える電磁波の悪影響を減少させることができる。
【００１６】携帯電話の電磁波は人体の免疫効果を低下させる。テラヘルツ波とマイナスイオンは人体の免疫効果を向上される効果がある。本シールを貼ることで、携帯電話の電磁波で低下した免疫効果を、テラヘルツ波とマイナスイオンの免疫力向上効果で回復・向上させることができる。テラヘルツ波とマイナスイオンによる免疫力向上効果を同時に受けることでその効果はより高まる。
【００１７】本シールから放射されるテラヘルツ波とマイナスイオンする還元作用により、バッテリの寿命延長や放電時間の延長、充電時間の短縮といったバッテリの機能改善することができる。テラヘルツ波による還元効果と同時に本シールから放射されるマイナスイオンにより、そのマイナスイオンを取り込むことでその効果が高まる。
【考案の効果】
【００１８】本考案により、効果が明確にでき、本特殊液を塗膜化することで、テラヘルツ波とマイナスイオンを半永久的に放射する本シールを低コストで、大量に生産できる。
【００１９】本シールにより、携帯電話から放射される電磁波を吸収することができる。電磁波被爆量を減少さることができる。
【００２０】本シールは携帯電話電磁波を吸収し、電磁波被爆量を減らすことができる。
【００２１】本シールは携帯電話電磁波の周辺で発生する電磁波ノイズを中和、除去することができ、携帯電話電磁波により起こる自覚書状（頭痛、動悸、めまい、慢性化した電磁波過敏症、喘息、アトピーなど）を抑えることができる。
【００２２】本シールは携帯電話電磁波により免疫力が低下した免疫力を回復、向上させることができる。
【００２３】本シールは、携帯電話電磁波の吸収、携帯電話周辺に発する電磁波ノイズの中和、免疫力向上効果により、携帯電話電磁波により、体に与える悪影響を減少させることができる。
【００２４】本シールは、貼るだけで、バッテリの使用時間を延ばすことができる。
【００２５】本シールは、携帯電話の放充電を繰り返すことで、バッテリの寿命延長、回復することができる。この酸化還元効果は、テラヘルツ波とマイナスイオン同時放射することでより高い酸化還元効果を実現している。
【００２６】本シールは、除菌効果がある。この効果はテラヘルツ波、マイナスイオンが持つ効果に加えて、天然粒子に含まれた効果を加えたものである。
【００２７】本シールは、消臭効果がある。この効果はテラヘルツ波、マイナスイオンが持つ効果に加えて、天然粒子に含まれた効果を加えたものである。
【００２８】本シール塗膜は、２倍以上の伸縮性がある。
【００２９】本シール塗膜は、防水性がある。水は通さないが空気は通す。このことにより、テラヘルツ波、マイナスイオン放射を促進している。
【実施例】
【００３０】いろいろなテストを通して、本考案の本シールについて、下記の効果が確認しています。
次のテストは、遠赤外線応用研究会にて実施しています。
＊テラヘルツ放射  テラヘルツ放射率  結果  ９２．３％
＊電磁波吸収  スマートフォン電磁波吸収テスト  結果  吸収効果あり
次のテストは、自社にてテスト実施しています。
＊マイナスイオン放射  マイナスイオンカウンタにより計測する。
＊古い携帯電話に本シールを貼り、充放電を繰り返すことにより、バッテリが新品の状態まで復活した。
＊携帯電話に本シールを貼り付けることにより、携帯電話の使用時間がのびた。
＊携帯電話に本シールを貼り付けることにより、携帯電話の充電時間が短くなった。
＊除菌効果が確認された。
＊消臭効果が確認された。
＊耐水効果が確認された。
＊伸縮性効果が確認された。折り曲げても塗布面が剥げない。
＊ＭＰ２．５  除去効果が確認された。
＊鮮度保持効果が確認された。（バナナ、牛乳、生け花、生魚、肉等で実験）
＊植物の生長促進が確認された。
＊家電に貼り付けることで、数か月で電気消費量が、少しずつ下がった。
＊今後、テラヘルツ波とマイナスイオンを半永久的（２００年以上）に放射するため、各研究機関で研究されているテラヘルツ波とマイナスイオンで明らかにされる効果、同時に放射することによる相乗効果を得ることができる。
【産業上の利用可能な分野】
【００３１】本考案の本シールは、携帯電話用としてばかりでなく、低周波電磁波にも効果があり、電子レンジや冷蔵庫、テレビなどといった電磁波を多く発している家電、ＰＣ、ノートＰＣ、タブレットなどの情報端末等にも利用できる。屋内電磁波発生装置として、近年増えている室内ＷｉＦｉルータ、スマートメータなどにも利用できる。
【考案を実施するための形態】
【００３２】以下、本考案の実施形態について図面を参照しながら説明する。
【図面の簡単な説明】
【図１】図１は、本考案の本シールの製造方法について説明する。
【図２】図２は、本考案の本シールのスマートフォン作用概念について示す。
【図３】図３は、本考案の本シールのテラヘルツ波によるノイズ中和概念について示す。
【図４】図４は、本考案の本シールのテラヘルツ波とマイナスイオンの人体への浸透作用を示す。
【００３３】図１に示すように、のり付き特殊合成紙に、本特殊液体を乾燥時に０．３ｍｍ以上の塗膜が形成されるように塗布する。【００３４】図２に示すように、スマートフォンの裏面（バッテリに近いところ）に該当本シールを貼り付けると、本シールからテラヘルツ波（３）、マイナスイオン（４）が放射される。【００３５】図２のように、該当本シールから放射されるテラヘルツ波（３）、マイナスイオン（４）により、放射時間を長くし、充電時間を短縮し、バッテリ（７）寿命を延長するというバッテリの機能改善を行う。【００３６】図２のように、該当本シール（５）は、携帯電話より放射される電磁波（１２）を吸収する。【００３７】図３のように、該当本シールから放射するテラヘルツ波とマイナスイオンにより、携帯電話の送受信時に発生する電磁波（１２）に乗った細かいノイズ（９）を軽減する。【００３８】図４のように、該当本シール（５）から放射するテラヘルツ波（３）とマイナスイオン（４）により、人体にテラヘルツ波（３）とマイナスイオン（４）照射されることにより人体の免疫効果が高まり、体に悪い電磁波（９）の影響を最小にする。体に悪い電磁波（９）は体の免疫力を下げる。
【符号の説明】
【００３９】１．  本特殊液体塗膜（０．３ｍｍ）
２．  本特殊合成紙シール（本シール）
３．  テラヘルツ波
４．  マイナスイオン
５．  携帯電話用テラヘルツ波・マイナスイオン放射シール
６．  スマートフォン
７．  スマートフォン用バッテリ（リチウムバッテリ）
８．  テラヘルツ波概念壁図
９．  電磁波ノイズ概念図
１０．人体（耳、頭）
１１．人体（手）
１２．スマートフォン放射電磁波
【図１】
0003222174.tif 000003
【図２】
0003222174.tif 000004
【図３】
0003222174.tif 000005
【図４】
0003222174.tif 000006
【手続補正書】
【提出日】平成31年4月25日(2019.4.25)
【手続補正１】
【補正対象書類名】実用新案登録請求の範囲
【補正対象項目名】請求項１
【補正方法】変更
【補正の内容】
【請求項１】
テラヘルツ波とマイナスイオンを放射する液体を乾燥して塗膜とし、シール用紙に貼り付け、携帯電話、家電、各種情報端末に電磁波吸収、有害電磁波中和を目的としたシール。
【手続補正２】
【補正対象書類名】実用新案登録請求の範囲
【補正対象項目名】請求項２
【補正方法】変更
【補正の内容】
【請求項２】
テラヘルツ波とマイナスイオンを放射する液体を乾燥して塗膜とし、シール用紙に貼り付け、各種情報端末、リチウムバッテリの放電時間延長、寿命延長を目的としたシール。
【手続補正３】
【補正対象書類名】実用新案登録請求の範囲
【補正対象項目名】請求項３
【補正方法】変更
【補正の内容】
【請求項３】
テラヘルツ波とマイナスイオンを放射する液体を乾燥させて作った塗膜。